(57)【要約】【課題】  回路基板における実装スペースを確保できるとともに、簡単な構造にて強度の高い保持構造となる車両用表示装置を提供する。【解決手段】  表示パネル１と、この表示パネル１の近傍に光透過性の意匠を設けてなる透過表示部２１と、表示パネル１と透過表示部２１とをそれぞれ照明する光源３１，３２を実装してなる回路基板３と、を備えた車両用表示装置であって、表示パネル１を保持するとともに表示パネル用光源３１からの照明光を表示パネル１側に反射するセルケース４と、透過表示部用光源３２の照明光を透過表示部２１側へ反射するとともにセルケース４を回路基板３に保持するライトボックス５と、を備えてなる。【選択図】  図１
2009002654.tif 000002
【特許請求の範囲】
【請求項１】
表示素子と、この表示素子の近傍に光透過性の意匠を設けてなる透過表示部と、前記表示素子と前記透過表示部とをそれぞれ照明する光源を実装してなる回路基板と、を備えた車両用表示装置であって、
前記表示素子を保持するとともに表示素子用光源からの照明光を前記表示素子側に反射する表示素子用筐体と、透過表示部用光源の照明光を前記透過表示部側へ反射するとともに前記表示素子用筐体を前記回路基板に保持する保持体と、を備えてなることを特徴とする車両用表示装置。
【請求項２】
前記保持体は、前記回路基板に保持されるための固定部と前記表示素子用筐体を保持する保持片とを設けてなり、前記表示素子用筐体を前記保持体と前記回路基板とで挟み込んで保持することを特徴とする請求項１に記載の車両用表示装置。
【請求項３】
前記表示素子用筐体は、前記回路基板に対して位置決めするための突出部を設けてなることを特徴とする請求項１に記載の車両用表示装置。
【発明の詳細な説明】
【技術分野】
【０００１】
本発明は、車両用表示装置に関し、例えば、自動車やオートバイなどに搭載され、車両速度等の情報を表示するための表示器を収納する車両用計器に関するものである。
【背景技術】
【０００２】
従来、自動車やオートバイなどに装備される車両用計器として、例えば、速度計，回転計，温度計などの計器類（表示器）は合成樹脂製からなる枠状の計器ハウジングに取付固定されているものがある。
【０００３】
このような車両用計器にあっては、表示器として、例えば、走行距離などの情報を液晶表示パネル（表示素子）にて表示するものが一般的である。また、この場合、液晶表示パネルを保持するために、回路基板等に固定するためのフックを形成してなるセルケース（表示素子用筐体）を備えてなる構造があり、例えば、特許文献１に記載されている。
【０００４】
また、上述した液晶表示パネルの近傍に警告灯やインジケータなどを表示するための光透過性の意匠を設けた透過表示部を備え、この透過表示部に照明光を照射するためのライトボックスを備えるものがあり、例えば、特許文献２に記載されている。また、ライトボックスについても回路基板等に固定する構造が必要である。
【特許文献１】特開平１１−１５３７８６号公報
【特許文献２】特開平１１−２４０３５５号公報
【発明の開示】
【発明が解決しようとする課題】
【０００５】
しかしながら、上述のような車両用計器の構造はセルケースを回路基板に保持させる際に、フックを用いることによって、回路基板側にフックを係止させるための孔や係合スペースが必要となるため、回路基板における電子部品の実装スペースが制限されてしまうことになり問題となっていた。特に、回路基板は、回路基板を計器ハウジングに固定するためのスペースやライトボックスを保持するためのスペースが別に必要であるため、電子部品の実装スペースをより広く確保することが望まれていた。また、車両の振動に耐え得るフック形状を実現するために、セルケースの材質や金型について制約を受けてしまうという問題があった。
【０００６】
そこで本発明の目的とするところは、上述した問題に着目してなされたものであって、回路基板における実装スペースを確保できるとともに、簡単な構造にて強度の高い保持構造となる車両用表示装置を提供することにある。
【課題を解決するための手段】
【０００７】
本発明の車両用表示装置は、前述した課題を解決するため、請求項１に記載したように、表示素子と、この表示素子の近傍に光透過性の意匠を設けてなる透過表示部と、前記表示素子と前記透過表示部とをそれぞれ照明する光源を実装してなる回路基板と、を備えた車両用表示装置であって、前記表示素子を保持するとともに表示素子用光源からの照明光を前記表示素子側に反射する表示素子用筐体と、透過表示部用光源の照明光を前記透過表示部側へ反射するとともに前記表示素子用筐体を前記回路基板に保持する保持体と、を備えてなることを特徴とする車両用表示装置。
【０００８】
また、請求項２に記載したように、請求項１に記載の車両用表示装置において、前記保持体は、前記回路基板に保持されるための固定部と前記表示素子用筐体を保持する保持片とを設けてなり、前記表示素子用筐体を前記保持体と前記回路基板とで挟み込んで保持することを特徴とする。
【０００９】
また、請求項３に記載したように、請求項１に記載の車両用表示装置において、前記表示素子用筐体は、前記回路基板に対して位置決めするための突出部を設けてなることを特徴とする。
【発明の効果】
【００１０】
本発明は、表示素子と、この表示素子の近傍に光透過性の意匠を設けてなる透過表示部と、前記表示素子と前記透過表示部とをそれぞれ照明する光源を実装してなる回路基板と、を備えた車両用表示装置に関して、簡単な構造にて強度の高い保持構造となる車両用表示装置を提供できる。
【発明を実施するための最良の形態】
【００１１】
以下、本発明が適用された実施の形態について添付図面を用いて説明する。
【００１２】
本発明の車両用表示装置を自動車のインストルメントパネルに備えられる車両用計器に適用したものを例に挙げて説明する。なお、車両用計器の全体的な構成は、背景技術において示した従来例と同様の構成部品を適用でき、相違点や本発明の特徴となる点について以下に説明する。車両用計器は、図１に示すように、表示パネル（表示素子）１と、文字板２と、回路基板と、セルケース（表示素子用筐体）と、ライトボックス（保持体）と、を備えており、図示しない計器ハウジング内に収納されている。
【００１３】
表示パネル１は、液晶表示パネルを適用でき、図示しないマイクロコンピュータやドライバを用いて、車両に搭載される各種センサからの情報に基づいて、車両の走行距離など各種情報を表示するためのものである。また、夜間などの暗い環境での走行であっても表示を認識できるように、裏面からの照明を透過して表示できるように構成されている。また、表示パネル１は、図示しないピン端子あるいはフレキシブル配線等を用いて、回路基板３と電気的に接続できるように構成されている。
【００１４】
文字板２は、合成樹脂からなる板状の部材に印刷を施してなり、表示パネル１とは別に情報を表示するためのものである。文字板２は、この場合、シートベルト未装着時の警報表示や、方向指示表示（ターンインジケータ）を行うための文字やマーク等からなる光透過性の意匠が形成された透過表示部２１が設けられている。透過表示部２１は、背面側からの照明を透過することによって点灯し、視認者に情報を知らせるものであり、表示パネル１の近傍に位置するように設けられる。透過表示部２１は、この場合、表示パネル１の両端側に設けられる。また、文字板２には、表示パネル１を臨むことができる窓部２２が設けられている。
【００１５】
回路基板３は、表示パネル１や文字板２の背面側に備えられ、図示しない計器ハウジングにフックあるいはビス止めにて固定保持される。また、回路基板３は、表示パネル１を照明するための表示パネル用光源（表示素子用光源）３１と、透過表示部２を照明するための透過表示部用光源３２とをそれぞれ実装するとともに、表示パネル１を駆動するための図示しない回路部品を実装している。なお、透過表示部用光源３２は、各透過表示部毎に用意されている。また、回路基板３には、セルケース４を位置決めするための位置決め孔３３やライトボックス５を保持するためのビス孔３４を設けている。
【００１６】
セルケース４は、遮光性の合成樹脂材からなり、枠状に形成されており、表示パネル１を保持するための表示パネル保持部４１と、回路基板３に対して位置決めを行うための突出部４２と、ライトボックス５と接する受け部４３と、表示パネル用光源３１からの照明光を表示パネル１側に反射する反射面４４と、を設けている。セルケース４は、位置決め孔３３に突出部４２を挿入することによって、所定位置に位置決めできる。
【００１７】
ライトボックス５は、遮光性の合成樹脂材からなり、文字板２と回路基板３との間に備えられる。ライトボックス５は、透過表示部用光源３２からの照明光を透過表示部２１側へ反射する反射面５１と、セルケース４を回路基板３に保持する保持片５２と、ビス孔３４を用いて回路基板３の所定位置にビス止めするための固定部５３と、を設けている。なお、この場合、ライトボックス５はセルケース４の両端側に設けられる。
【００１８】
また、ライトボックス５は、セルケース４が突出部４２によって回路基板３上の所定位置に搭載された状態にて、保持片５２をセルケース４の受け部４３に接するように搭載されるとともに、固定部５３によって回路基板３に保持させることによって、セルケース４を回路基板３上に挟み込むようにして強固に保持することができる。なお、ライトボックス５は、セルケース４の両端側に備えられ、両方の保持片５２によって、受け部４３に係止させてセルケース４を保持している。また、ライトボックス５は、透過表示部２毎に筒状のボックスが形成されており、所望の透過表示部２を照明させる際に、前記透過表示部２専用に設けられる透過表示部用光源３２からの照明光が他の透過表示部２等に漏れないように構成されている。
【００１９】
斯かる車両用計器は、表示パネル１と、この表示パネル１の近傍に光透過性の意匠を設けてなる透過表示部２１と、表示パネル１と透過表示部２１とをそれぞれ照明する光源３１，３２を実装してなる回路基板３と、を備えた車両用表示装置であって、表示パネル１を保持するとともに表示パネル用光源３１からの照明光を表示パネル１側に反射するセルケース４と、透過表示部用光源３２の照明光を透過表示部２１側へ反射するとともにセルケース４を回路基板３に保持するライトボックス５と、を備えてなる。
【００２０】
したがって、回路基板３とライトボックス５との固定を行うことによって、セルケース４が回路基板３上に保持されるため、フック用の孔などが必要なく、回路基板３における実装スペースを確保できるとともに、簡単な構造にて強度の高い保持構造となる。また、セルケース４とライトボックス５とが別体に設けられるため、車両の機種や搭載機能によって表示内容が異なる場合であっても、部分的な設計変更のみで対応できるため、汎用性の高い車両用計器となる。また、セルケース４あるいはライトボックス５において、弾性変形可能な材質でなくとも適用できるため、設計の自由度が高まる、あるいは、より耐性の強い材質を選択することができる。
【００２１】
また、ライトボックス５は、回路基板３に保持されるための固定部５３とセルケース４を保持する保持片５２とを設けてなり、セルケース４をライトボックス５と回路基板３とで挟み込んで保持することによって、簡単な構造にて強度の高い保持構造となる。
【００２２】
また、セルケース４は、回路基板３に対して位置決めするための突出部４２を設けてなるによって、セルケース４やライトボックス５を回路基板３に簡単に組み付けることができる。
【００２３】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、回路基板とライトボックスとがビス止めでなく、他の保持構造を適用してもよい。また、表示パネル１と表示パネル用光源３１との間に拡散板を設けてなり、セルケース４が拡散板を保持するようにしてもよい。
【図面の簡単な説明】
【００２４】
【図１】本発明の実施の形態における車両用計器の要部を断面にて示す図。
【符号の説明】
【００２５】
１    表示パネル（表示素子）
２１  透過表示部
３    回路基板
３１  表示パネル用光源（表示素子用光源）
３２  透過表示部用光源
４    セルケース（表示素子用筐体）
５    ライトボックス（保持体）
【図１】
2009002654.tif 000003